(57)【要約】      （修正有）【課題】串刺しされた焼き鳥や団子等の食材を食べやすくするとともに汁状のたれで手を汚すことなく、食材を食する人が組立可能であり、提供コストを抑制できる鍔付き串及び鍔付き串の組立キットを提供する。【解決手段】一実施形態による鍔付き串の組立キット１は、食材を刺すための棒部２ａ、および棒部２ａの一端に接続する平板状の摘まみ部２ｂを有する串２と、串２を挿通する鍔部３とを備え、鍔部３には、棒部２ａを挿通させる円形孔４と、円形孔４の放射方向に形成され串２の摘まみ部２ｂを挿通させる切り欠き部５とが設けられており、串２の摘まみ部２ｂと鍔部３とが指で切り離し可能に連結されている。【選択図】図１
0003187185.tif 000002
【実用新案登録請求の範囲】
【請求項１】
食材を刺すための棒部、および前記棒部の一端に接続する平板状の摘まみ部を有する串と、前記串を挿通する鍔部とを備える鍔付き串の組立キットであって、
前記鍔部には、前記棒部を挿通させる円形孔と、前記円形孔の放射方向に形成され前記串の摘まみ部を挿通させる切り欠き部とが設けられており、
前記串の摘まみ部と前記鍔部とが指で切り離し可能に連結されていることを特徴とする鍔付き串の組立キット。
【請求項２】
食材を刺すための棒部、および前記棒部の一端に接続する平板状の摘まみ部を有する串と、前記串を挿通する鍔部とを備える鍔付き串であって、
前記鍔部には、前記棒部を挿通させる円形孔と、前記円形孔の放射方向に形成され前記串の摘まみ部を挿通させる切り欠き部とが設けられていることを特徴とする鍔付き串。
【考案の詳細な説明】
【技術分野】
【０００１】
本考案は、鍔付き串の組立キットおよび鍔付き串に関する。より詳しくは、本考案は、串刺しされた焼き鳥や団子等の食材を食べやすくするとともに汁状のたれで手を汚さない鍔付き串を、食材を食する人が組立可能な鍔付き串の組立キット、および、該鍔付き串の組立キットにより組立てられた鍔付き串に関する。
【背景技術】
【０００２】
串刺しされた焼き鳥や団子などの食材は、１個目、２個目は食べ易いが、手元に近い位置のものほど食べにくくなる。また、食材に付けられた汁状のたれが串を伝って流れ落ちて、手を汚すことがある。
【０００３】
そこで、串を挿通させる鍔を設けた鍔付き串が提案されている（特許文献１）。この鍔付き串では、鍔を指で移動させることで、手元側の食材を串の先端側に押し上げて食べ易くすることができるとともに、食材のたれが手に付着することを防止することができる。
【先行技術文献】
【特許文献】
【０００４】
【特許文献１】特開２００３−６１８０５号公報
【考案の概要】
【考案が解決しようとする課題】
【０００５】
しかしながら、上記の鍔付き串の場合、鍔部を串にセットしてから食材を串刺しにするため、通常の串に比べて手間がかかり、コスト高になるおそれがある。
【０００６】
そこで、本考案は、食材を食する人が鍔付き串を組立可能とすることで鍔付き串の提供コストを抑制することができる鍔付き串の組立キット、および該鍔付き串の組立キットにより組立てられた鍔付き串を提供することを目的とする。
【課題を解決するための手段】
【０００７】
本考案の鍔付き串の組立キットは、食材を刺すための棒部、および前記棒部の一端に接続する平板状の摘まみ部を有する串と、前記串を挿通する鍔部とを備える鍔付き串の組立キットであって、
前記鍔部には、前記棒部を挿通させる円形孔と、前記円形孔の放射方向に形成され前記串の摘まみ部を挿通させる切り欠き部とが設けられており、
前記串の摘まみ部と前記鍔部とが指で切り離し可能に連結されていることを特徴とする。
【０００８】
また、本考案の鍔付き串は、食材を刺すための棒部、および前記棒部の一端に接続する平板状の摘まみ部を有する串と、前記串を挿通する鍔部とを備える鍔付き串であって、
前記鍔部には、前記棒部を挿通させる円形孔と、前記円形孔の放射方向に形成され前記串の摘まみ部を挿通させる切り欠き部とが設けられていることを特徴とする。
【考案の効果】
【０００９】
本考案では、鍔部には、棒部を挿通させる円形孔と、該円形孔の放射方向に形成され串の摘まみ部を挿通させる切り欠き部とが設けられており、また、串の摘まみ部と鍔部とが指で切り離し可能に連結されている。
【００１０】
これにより、食材が棒部に串刺しされた状態の鍔付き串の組立キットに対し、食材を食する人が指で鍔部を捩るなどして串から鍔部を切り離し、切り離した鍔部を摘まみ部側から串に取り付けることが可能になる。
【００１１】
また、本考案に係る鍔付き串の組立キットでは串の摘まみ部と鍔部とが連結され、一体化されているため、串と鍔部とが別体で提供される場合に比べて、流通や管理の点で有利である。
【００１２】
よって、本考案によれば、食材を食する人が鍔付き串を組立てることができ、かつ、鍔付き串の提供コストを抑制することができる。
【図面の簡単な説明】
【００１３】
【図１】（ａ）は本考案の一実施形態に係る鍔付き串の組立キット１の平面図であり、（ｂ）は（ａ）のＸ−Ｘ線に沿う断面図である。
【図２】鍔付き串の組立キット１の串２に食材１０が刺されている状態を示す図である。
【図３】串２を鍔部３に挿通させて鍔付き串９とした状態を示す図である。
【図４】（ａ）は本考案の一実施形態の変形例に係る鍔付き串の組立キット１Ａの平面図であり、（ｂ）は（ａ）のＹ−Ｙ線に沿う断面図である。
【考案を実施するための形態】
【００１４】
以下、図面を参照しながら、本考案の実施形態について説明する。なお、各図において同等の機能を有する構成要素には同一の符号を付し、同一符号の構成要素の詳しい説明は繰り返さない。
【００１５】
図１を参照して、本考案の一実施形態に係る鍔付き串の組立キット１について説明する。図１（ａ）は鍔付き串の組立キット１の平面図であり、図１（ｂ）は図１（ａ）のＸ−Ｘ線に沿う断面図である。
【００１６】
鍔付き串の組立キット１は、図１（ａ）に示すように、串２と、この串２を挿通するための鍔部３とを備えている。
【００１７】
鍔付き串の組立キット１は、プラスチック製（硬質プラスチック、耐熱プラスチック等）であり、プラスチック成形手法等を用いて製造される。
【００１８】
串２は、焼き鳥や団子等の食材１０を刺すための棒部２ａと、この棒部２ａの一端に接続する平板状の摘まみ部２ｂとを有する。
【００１９】
串２の摘まみ部２ｂと鍔部３とは、使用者が指で捩るなどして切り離し可能なように連結されている。
【００２０】
鍔部３には、図１（ａ）に示すように、棒部２ａを挿通させる円形孔４と、この円形孔４の放射方向に形成され、串２の摘まみ部２ｂを挿通させる切り欠き部５とが設けられている。
【００２１】
次に、図２および図３を参照して、鍔付き串の組立キット１の使用方法について説明する。図２は、鍔付き串の組立キット１の串２に食材１０が刺されている状態を示し、図３は、串２を鍔部３に挿通させて鍔付き串９とした状態を示している。
【００２２】
まず、図２に示すように、鍔付き串の組立キット１の棒部２ａに、焼き鳥や団子等の食材１０を串刺しにする。
【００２３】
次に、図３に示すように、食材１０を食する人が、指で鍔部３を捩るなどして串２から鍔部３を切り離し、切り離した鍔部３を摘まみ部２ｂ側から串２に取り付ける。鍔部３の取り付け方法について、より詳しくは、まず、串２の摘まみ部２ｂを鍔部３の切り欠き部５に挿通させ、その後、串２の棒部２ａを鍔部３の円形孔４に挿通させる。
【００２４】
上記のようにして鍔部３を備える鍔付き串９を組立てることで、食材１０の汁状のたれが棒部２ａを伝って摘まみ部２ｂまで流れ落ちて手を汚すことを防止することができる。また、串２に沿って鍔部３を串２の先端側に移動させることで、手元側の食材１０を食べやすくすることができる。
【００２５】
このように食材１０を食する人が鍔部３を串２に取り付けて鍔付き串９を組立可能とすることで、生産者・販売者が鍔部３を串２に取り付ける必要がない。また、鍔付き串の組立キット１では串２の摘まみ部２ｂと鍔部３とが連結され、一体化されているため、串２と鍔部３とが別体で提供される場合に比べて、流通や管理の点で有利である。
【００２６】
よって、本実施形態によれば、食材を食する人が鍔付き串を組立てることができ、かつ、鍔付き串の提供コストを抑えることができる。
【００２７】
なお、本考案に係る鍔付き串の組立キットの使用方法は上記に限られず、食材１０を棒部２ａに刺す前に、鍔部３を串２に取り付けることを排除するものではない。
【００２８】
次に、図４を参照して、本実施形態の変形例に係る鍔付き串の組立キット１Ａについて説明する。図４（ａ）は鍔付き串の組立キット１Ａの平面図であり、図４（ｂ）は図４（ａ）のＹ−Ｙ線に沿う断面図である。
【００２９】
図４（ａ）に示すように、本変形例では、鍔部３は、切り欠き部６をさらに有する。この切り欠き部６は、円形孔４の放射方向に形成されるが、切り欠き部５に比べて幅が狭く、串２の摘まみ部２ｂを挿通させることができないように形成されている。このような切り欠き部６を設けることで、鍔部３の中央部における柔軟性を高め、鍔部３に串２を挿通させ易くすることができる。
【００３０】
上記の記載に基づいて、当業者であれば、本考案の追加の効果や種々の変形を想到できるかもしれないが、本考案の態様は、上述した実施形態に限定されるものではない。実用新案登録請求の範囲に規定された内容及びその均等物から導き出される本考案の概念的な思想と趣旨を逸脱しない範囲で種々の追加、変更及び部分的削除が可能である。
【符号の説明】
【００３１】
１，１Ａ  鍔付き串の組立キット
２  串
２ａ  棒部
２ｂ  摘まみ部
３  鍔部
４  円形孔
５，６  切り欠き部
９  鍔付き串
１０  食材
【図１】
0003187185.tif 000003
【図２】
0003187185.tif 000004
【図３】
0003187185.tif 000005
【図４】
0003187185.tif 000006